(57)【要約】【課題】外装ケースに形成された貫通孔から内側に侵入した塵や埃が、画像読取ユニットに備えられた読取センサーに付着し、読取センサーによって読み取られる画像の品質が低下するという課題がある。【解決手段】ＵＳＢコネクター３０が実装される回路基板３３と、回路基板３３を収容し、スキャナー１の外殻を構成する下リアフレーム１２と、下リアフレーム１２におけるＵＳＢコネクター３０と対向する位置に設けられ、外部コネクターが通る貫通孔と、ＵＳＢコネクター３０の貫通孔側を覆うように配置され、ＵＳＢコネクター３０と下リアフレーム１２との隙間を埋める隙間遮蔽部材３２と、が備えられた画像読取装置を提供する。【選択図】図５
2016103671.tif 000002
【特許請求の範囲】
【請求項１】
画像を読取る画像読取ユニットを有し、外部機器と接続されるケーブルと接続可能なコネクターを備える画像読取装置であって、
前記コネクターが実装される回路基板と、
前記回路基板を収容し、前記画像読取装置の外殻を構成する外装部材と、
前記外装部材に設けられ、前記ケーブルを前記コネクターに装着するための貫通孔と、
前記コネクターの側面及び上面を覆うように配置され、前記コネクターと前記外装部材との間に設けられ、前記コネクターと前記外装部材との隙間を埋める弾性を有する隙間遮蔽部材と、が備えられることを特徴とする画像読取装置。
【請求項２】
記録ヘッドによって、媒体に記録を行う記録部を有し、外部機器と接続されるケーブルと接続可能なコネクターを備える記録装置であって、
前記コネクターが実装される回路基板と、
前記回路基板を収容し、前記記録装置の外殻を構成する外装部材と、
前記外装部材に設けられ、前記ケーブルを前記コネクターに装着するための貫通孔と、
前記コネクターの側面及び上面を覆うように配置され、前記コネクターと前記外装部材との間に設けられ、前記コネクターと前記外装部材との隙間を埋める弾性を有する隙間遮蔽部材と、が備えられることを特徴とする記録装置。
【請求項３】
請求項１に記載の画像読取装置であって、
前記回路基板には、前記コネクターの上部において、前記ケーブルの抜き差しの際に前記コネクターが前記回路基板からのはずれを防止する補強部材が備えられ、
前記隙間遮蔽部材は、前記補強部材と前記外装部材との間に設けられ、外部からの埃塵の侵入を遮ることを特徴とする画像読取装置。
【請求項４】
請求項２に記載の記録装置であって、
前記回路基板には、前記コネクターの上部において、前記ケーブルの抜き差しの際に前記コネクターが前記回路基板からのはずれを防止する補強部材が備えられ、
前記隙間遮蔽部材は、前記補強部材と前記外装部材との間に設けられ、外部からの埃塵の侵入を遮ることを特徴とする記録装置。
【請求項５】
請求項３に記載の画像読取装置であって、
前記隙間遮蔽部材は、前記補強部材に固定されることを特徴とする画像読取装置。
【請求項６】
請求項４に記載の記録装置であって、
前記隙間遮蔽部材は、前記補強部材に固定されることを特徴とする記録装置。
【請求項７】
請求項３または請求項５に記載の画像読取装置であって、
前記隙間遮蔽部材は、前記コネクター側面に押し付けて固定されることを特徴とする画像読取装置。
【請求項８】
請求項４または請求項６に記載の記録装置であって、
前記隙間遮蔽部材は、前記コネクター側面に押し付けて固定されることを特徴とする記録装置。
【請求項９】
請求項３、請求項５または請求項７のいずれか一項に記載の画像読取装置であって、
前記画像読取装置の外装部材には、前記ケーブルを案内する凹部が形成され、
前記隙間遮蔽部材は、前記凹部の内壁と前記補強部材の間に形成されることを特徴とする画像読取装置。
【請求項１０】
請求項４、請求項６または請求項８のいずれか一項に記載の記録装置であって、
前記記録装置の外装部材には、前記ケーブルを案内する凹部が形成され、
前記隙間遮蔽部材は、前記凹部の内壁と前記補強部材の間に形成されることを特徴とする記録装置。
【発明の詳細な説明】
【技術分野】
【０００１】
本発明は、画像読取装置および記録装置に関する。
【背景技術】
【０００２】
電子機器装置の一例として、ガラスの原稿台に原稿を載置し、画像読取センサーを備えた画像読取ユニットが原稿台の下方を移動して前記原稿の画像を読み取る画像読取装置が知られている。（例えば、特許文献１）このような画像読取装置には、回路基板に実装されたコネクターに、コンピューターなどの外部機器に接続されたケーブルが接続されるものがある。
図７は、従来の画像読取装置のコネクターの一例であるＵＳＢコネクター８３が備えられた部分を外装ケース８０の外側から見た斜視図である。外装ケース８０には、ＵＳＢコネクター８３の接続側と対向する位置に貫通孔８２が設けられる。回路基板８４に実装されたＵＳＢコネクター８３は、貫通孔８２を通して露出する。外装ケース８０には、外部機器に接続されたケーブルの端部を貫通孔８２に案内する凹部８１が設けられ、ケーブルの端部は、凹部８１に案内されて侵入し、貫通孔８２の内側に配置されたＵＳＢコネクター８３と接続される。
【先行技術文献】
【特許文献】
【０００３】
【特許文献１】特開２０１４−１７５７３号公報
【発明の概要】
【発明が解決しようとする課題】
【０００４】
しかしながら、画像読取ユニットの移動に伴って、貫通孔８２を内側に流れる気流が生じると、ＵＳＢコネクター８３と貫通孔８２の縁部８２ａとの間に形成された隙間８５から塵や埃が外装ケース８０の内側に侵入し、画像読取ユニットに備えられた読取センサーに付着する場合がある。そのため、読取センサーによって読み取られる画像の品質が低下するという課題がある。
【課題を解決するための手段】
【０００５】
本発明は、上述の課題の少なくとも一部を解決するためになされたものであり、以下の形態または適用例として実現することが可能である。
【０００６】
［適用例１］画像を読取る画像読取ユニットを有し、外部機器と接続されるケーブルと接続可能なコネクターを備える画像読取装置であって、前記コネクターが実装される回路基板と、前記回路基板を収容し、前記画像読取装置の外殻を構成する外装部材と、前記外装部材に設けられ、前記ケーブルを前記コネクターに装着するための貫通孔と、前記コネクターの側面及び上面を覆うように配置され、前記コネクターと前記外装部材との間に設けられ、前記コネクターと前記外装部材との隙間を埋める弾性を有する隙間遮蔽部材と、が備えられることを特徴とする画像読取装置。
【０００７】
本適用例によれば、コネクターの側面及び上面を覆うように配置され、コネクターと外装部材との間に設けられ、コネクターと外装部材との隙間を埋める弾性を有する隙間遮蔽部材が備えられる。これにより、貫通孔が形成された外装部材の縁部とコネクターとの隙間を通り、外装部材の外側から内側に侵入しようとする塵や埃を遮断することができ、画像読取装置においては、読取精度の低下を防ぐことができる。
【０００８】
［適用例２］記録ヘッドによって、媒体に記録を行う記録部を有し、外部機器と接続されるケーブルと接続可能なコネクターを備える記録装置であって、前記コネクターが実装される回路基板と、前記回路基板を収容し、前記記録装置の外殻を構成する外装部材と、前記外装部材に設けられ、前記ケーブルを前記コネクターに装着するための貫通孔と、前記コネクターの側面及び上面を覆うように配置され、前記コネクターと前記外装部材との間に設けられ、前記コネクターと前記外装部材との隙間を埋める弾性を有する隙間遮蔽部材と、が備えられることを特徴とする記録装置。
【０００９】
本適用例によれば、コネクターの側面及び上面を覆うように配置され、コネクターと外装部材との間に設けられ、コネクターと外装部材との隙間を埋める弾性を有する隙間遮蔽部材が備えられる。これにより、貫通孔が形成された外装部材の縁部とコネクターとの隙間を通り、外装部材の外側から内側に侵入しようとする塵や埃を遮断することができ、記録装置においては、記録時における印字品質の低下を防ぐことができる。
【００１０】
［適用例３］前記回路基板には、前記コネクターの上部において、前記ケーブルの抜き差しの際に前記コネクターが前記回路基板からのはずれを防止する補強部材が備えられ、前記隙間遮蔽部材は、前記補強部材と前記外装部材との間に設けられ、外部からの埃塵の侵入を遮ることを特徴とする上記画像読取装置。
【００１１】
本適用例によれば、貫通孔が形成された外装部材の縁部とコネクターとの隙間を通り、外装部材の外側から内側に侵入しようとする塵や埃を遮断することができる。
【００１２】
［適用例４］前記回路基板には、前記コネクターの上部において、前記ケーブルの抜き差しの際に前記コネクターが前記回路基板からのはずれを防止する補強部材が備えられ、前記隙間遮蔽部材は、前記補強部材と前記外装部材との間に設けられ、外部からの埃塵の侵入を遮ることを特徴とする上記記録装置。
【００１３】
本適用例によれば、貫通孔が形成された外装部材の縁部とコネクターとの隙間を通り、外装部材の外側から内側に侵入しようとする塵や埃を遮断することができる。
【００１４】
［適用例５］前記隙間遮蔽部材は、前記補強部材に固定されることを特徴とする上記画像読取装置。
【００１５】
本適用例によれば、回路基板に備えられた補強部材に隙間遮蔽部材が固定された状態で、回路基板を画像読取装置として組み立てればよいので、画像読取装置を組み立てる際の作業性が向上する。
【００１６】
［適用例６］前記隙間遮蔽部材は、前記補強部材に固定されることを特徴とする上記記録装置。
【００１７】
本適用例によれば、回路基板に備えられた補強部材に隙間遮蔽部材が固定された状態で、回路基板を記録装置として組み立てればよいので、記録装置を組み立てる際の作業性が向上する。
【００１８】
［適用例７］前記隙間遮蔽部材は、前記コネクター側面に押し付けて固定されることを特徴とする上記画像読取装置。
【００１９】
本適用例によれば、コネクターと外装部材との隙間に、隙間遮蔽部材の一部が弾性変形して突出した部分が侵入し、コネクターと外装部材との隙間を埋めることができる。
【００２０】
［適用例８］前記隙間遮蔽部材は、前記コネクター側面に押し付けて固定されることを特徴とする上記記録装置。
【００２１】
本適用例によれば、コネクターと外装部材との隙間に、隙間遮蔽部材の一部が弾性変形して突出した部分が侵入し、コネクターと外装部材との隙間を埋めることができる。
【００２２】
［適用例９］前記画像読取装置の外装部材には、前記ケーブルを案内する凹部が形成され、前記隙間遮蔽部材は、前記凹部の内壁と前記補強部材の間に形成されることを特徴とする上記画像読取装置。
【００２３】
本適用例によれば、貫通孔を通り凹部の内壁と補強部材との間から画像読取装置の内部に侵入しようとする塵や埃を抑制できる。
【００２４】
［適用例１０］前記記録装置の外装部材には、前記ケーブルを案内する凹部が形成され、前記隙間遮蔽部材は、前記凹部の内壁と前記補強部材の間に形成されることを特徴とする上記記録装置。
【００２５】
本適用例によれば、貫通孔を通り凹部の内壁と補強部材との間から記録装置の内部に侵入しようとする塵や埃を抑制できる。
【図面の簡単な説明】
【００２６】
【図１】スキャナーの外観斜視図。
【図２】（ａ）は、スキャナーの内部を示す斜視図、（ｂ）は、ＵＳＢコネクターが備えられた部分を拡大した図。
【図３】（ａ）は、回路基板に備えられた、ＵＳＢコネクターおよび補強部材の斜視図、（ｂ）は、隙間遮蔽部材の斜視図、（ｃ）は、隙間遮蔽部材が回路基板に備えられた状態を示す斜視図。
【図４】（ａ）は、外部コネクター案内部を外側から見た斜視図、（ｂ）は、外部コネクター案内部に設けられた貫通孔の部分を外側から見た図、（ｃ）は、外部コネクター案内部に設けられた貫通孔の部分の断面図。
【図５】（ａ）は、実施形態２おけるスキャナーの内部を示す斜視図、（ｂ）は、ＵＳＢコネクターが備えられた部分を拡大した図。
【図６】インクジェット式の記録装置の外観斜視図。
【図７】従来の画像読取装置の外部コネクターの装着部分を外装ケースの外側から見た斜視図。
【発明を実施するための形態】
【００２７】
以下、電子機器装置の一例である画像読取装置について図を参照して説明する。各図において示すＸ−Ｙ−Ｚ座標系は、Ｘ方向及びＹ方向が水平方向であり、Ｚ方向は重力方向である。また、Ｘ方向は装置の奥行方向であり、Ｙ方向は装置の幅方向であり、Ｚ方向は装置の高さ方向である。尚、各図において＋Ｘ方向を前側とし、−Ｘ方向を後側とする。また、Ｚ方向を上側とし、−Ｚ方向を下側とする。
【００２８】
（実施形態１）
図１は、画像読取装置としてのスキャナー１の外観斜視図である。本実施形態におけるスキャナー１は、所謂フラットベッド型のスキャナーである。スキャナー１は、原稿台ガラス２を備え、この原稿台ガラス２の上面が原稿を載置する原稿載置面２ａを形成する。原稿台ガラス２は本実施形態では透明なガラス板である。原稿台ガラス２の周囲は複数のフレームにより構成されており、これらフレームにより画設された矩形領域が、画像読取ユニット２０（図２（ａ）参照）によって読み取り可能な原稿読み取り領域（原稿載置面２ａ）となる。
【００２９】
スキャナー１は、ヒンジ部９を備えて回動可能な上部カバー１０を備えており、この上部カバー１０が、原稿載置面２ａに対して開閉する様に構成されている。また、上部カバー１０には弾性材（例えばスポンジ）により形成された原稿押さえマット（不図示）が設けられており、上部カバー１０を閉じた際に、原稿載置面２ａに載置された原稿が原稿押さえマットにより押圧され、原稿の被読み取り面が原稿載置面２ａに密着するようになっている。
【００３０】
原稿載置面２ａを画設するフレームは、具体的には左右のアッパーフレーム４，５、上リアフレーム６、上フロントフレーム７により構成されている。これらのフレームは、筐体３に対して取り付けられる。尚、上フロントフレーム７の下側には、下フロントフレーム８が筐体３に対して取り付けられる。符号１１は、スキャナー１を操作する操作ボタンである。以上の各フレーム、下リアフレーム１２（図２参照）および筐体３は、本実施形態では全て樹脂材料により形成される。
【００３１】
図２（ａ）は、図１の原稿台ガラス２、アッパーフレーム４，５、上リアフレーム６を取り外し、スキャナー１の内部を示す斜視図である。上リアフレーム６の下側には、筐体３の背面側（後側）を構成する下リアフレーム１２が形成され、筐体３は箱形の形状を成す。筐体３の内部には、Ｘ軸方向に移動可能な画像読取ユニット２０が備えられる。
【００３２】
画像読取ユニット２０は、光源（不図示）、読取センサー（不図示）を上部に搭載し、Ｙ軸方向に延在するキャリッジ２１を備える。画像読取ユニット２０は、Ｘ軸方向に移動しながら、光源から照射されて原稿載置面２ａに載置された原稿からの反射光を読取センサーで受光することにより、原稿に描かれた画像を電気信号に変換し画像データとして読み取る。光学センサーは、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式のものを用いることができる。
【００３３】
筐体３の内部には、凸部２２と、ラックギア２３とがＸ軸方向に延在するガイド部２４が設けられる。キャリッジ２１には、モーター（不図示）と、モーターの駆動によって回転するピニオンギアとが備えられる。ラックギア２３とピニオンギアとが噛合った状態でモーターが回転駆動することより、キャリッジ２１は、ガイド部２４の凸部２２に案内されてＸ軸方向にスライド移動する。
【００３４】
ＦＦＣ（フレキシブルフラットケーブル）２５の一端は電力供給源（不図示）に接続され、他端はキャリッジ２１に備えられたモーターに接続されて、モーターに電力を供給する。ＦＦＣ２５は、キャリッジ２１の移動に追従して変形可能に備えられる。
【００３５】
ＦＦＣ（フレキシブルフラットケーブル）２６は、画像読取ユニット２０の読取センサーによって読み取られた画像データを制御部２７に伝送するケーブルである。ＦＦＣ２６は、キャリッジ２１の移動に追従して変形可能に備えられる。
【００３６】
図２（ｂ）は、図２（ａ）のＵＳＢ（Ｕｎｉｖｅｒｓａｌ  Ｓｅｒｉａｌ  Ｂｕｓ）コネクター３０が備えられた部分（円Ａで示した部分）を拡大した図である。ＵＳＢコネクター３０は、制御部２７に備えられた回路基板３３に実装される。ＵＳＢコネクター３０は、補強部材３１によって回路基板３３への固定が補強される。
【００３７】
下リアフレーム１２には、外部コネクター案内部１３が設けられる。外部コネクター案内部１３には、凹部１３ａ（図４（ａ）参照）が形成され、凹部１３ａによって、外部機器（不図示）と接続されたケーブル（不図示）の外部コネクター（不図示）が案内される。外部コネクター案内部１３の底壁１３ｂと補強部材３１との間には、隙間遮蔽部材３２が備えられる。
【００３８】
図３（ａ）は、回路基板３３に備えられた、ＵＳＢコネクター３０および補強部材３１の斜視図である。補強部材３１は、ＵＳＢコネクター３０のＹ軸方向の両側面に沿って配置される壁部３１ｂ，３１ｃと、Ｙ軸方向の両端部が壁部３１ｂ，３１ｃと接続され、ＵＳＢコネクター３０の上側の部分がＹ軸方向に延在する壁部３１ａとを有する。
【００３９】
補強部材３１の下部が、回路基板３３に固定され、壁部３１ａがＵＳＢコネクター３０の上端部に当接することにより、ＵＳＢコネクター３０の回路基板３３に対する固定機能が補強される。
【００４０】
図３（ｂ）は、隙間遮蔽部材３２の斜視図である。隙間遮蔽部材３２は、長手方向における両側に形成された壁部３２ｂ，３２ｃと、壁部３２ｂ，３２ｃとの間に形成された壁部３２ａとを有する。隙間遮蔽部材３２には、壁部３２ａ，３２ｂ，３２ｃによって囲まれた矩形状の切り欠き部３２ｄが形成される。
【００４１】
図３（ｃ）は、隙間遮蔽部材３２が回路基板３３に備えられた状態を示す斜視図である。隙間遮蔽部材３２の切り欠き部３２ｄは、ＵＳＢコネクター３０の接続部側（奥行き方向Ｘの後側）を覆うようにして配置される。
【００４２】
隙間遮蔽部材３２の補強部材３１側の面は、補強部材３１の壁部３１ａの壁面３１ｄに接着剤により固定される。また、図２（ｂ）の隙間遮蔽部材３２の外部コネクター案内部１３側の面は、外部コネクター案内部１３の底壁１３ｂの壁面１３ｃに接着剤により固定される。尚、隙間遮蔽部材３２と補強部材３１の壁面３１ｄとの接合および隙間遮蔽部材３２と外部コネクター案内部１３の壁面１３ｃとの接合は、両面に接着剤が塗布されたテープ状の部材（不図示）を介して接合してもよい。
【００４３】
隙間遮蔽部材３２は、弾性を有する部材から構成され、例えば、ＰＯＬＯＮ（登録商標）などが用いられる。
【００４４】
図４（ａ）は、外部コネクター案内部１３を、下リアフレーム１２の外側（Ｘ軸方向における後側）から見た斜視図である。外部コネクター案内部１３を外側から見ると、内側に窪む箱形状の凹部１３ａが形成される。外部コネクター案内部１３は、図２（ｂ）に示すように、内側（Ｘ軸方向における前側）から見ると、凹部１３ａに対応した突出形状となる。
【００４５】
凹部１３ａの底壁１３ｂには、貫通孔１３ｄが形成される。貫通孔１３ｄは、ＵＳＢコネクター３０の接続部側が対向する位置に設けられる。従って、貫通孔１３ｄを外側から見ると、ＵＳＢコネクター３０の接続部側が露出する。
【００４６】
図４（ｂ）は、外部コネクター案内部１３に設けられた貫通孔１３ｄの部分を外側から見た図である。図４（ｃ）は、図４（ｂ）の貫通孔１３ｄの部分を断面位置Ｅ−Ｅ´において上側から見た断面図である。Ｘ軸方向におけるＵＳＢコネクター３０の接続部側の端部の位置は、隙間遮蔽部材３２の壁部３２ｂ，３２ｃと重なる位置に配置される。
【００４７】
Ｙ軸方向において、図３（ｂ）の切り欠き部３２ｄの長さＬ１は、図３（ａ）のＵＳＢコネクター３０の切り欠き部３２ｄが当接する部分における幅の長さＬ２以下である。隙間遮蔽部材３２の壁部３２ｂ，３２ｃは、外部コネクター案内部１３の底壁１３ｂと補強部材３１の壁部３１ｂ，３１ｃとの間に挟まれた状態で設けられる。
【００４８】
このように隙間遮蔽部材３２が設けられることにより、図４（ｃ）に示すように、切り欠き部３２ｄを形成する壁部３２ｂ，３２ｃの縁部には、弾性変形して突出した部分３２ｅが形成される。弾性変形して突出した部分３２ｅは、ＵＳＢコネクター３０と、貫通孔１３ｄを形成する底壁１３ｂの縁部１３ｅとの隙間Ｂを遮蔽する。
【００４９】
同様に、図４（ａ）、（ｂ）のＵＳＢコネクター３０の上側においても、切り欠き部３２ｄを形成する壁部３２ａの縁部に、弾性変形して突出した部分３２ｅが形成され、ＵＳＢコネクター３０と、貫通孔１３ｄを形成する底壁１３ｂの縁部１３ｅとの隙間を遮蔽する。
【００５０】
従って、外部コネクター案内部１３を外側から見ると、図４（ｂ）に示すように、ＵＳＢコネクター３０のＹ軸方向の両側の端部は、隙間遮蔽部材３２の壁部３２ｂ，３２ｃが弾性変形して突出した部分３２ｅによって覆われた状態で、貫通孔１３ｄを通して露出する。また、ＵＳＢコネクター３０のＺ軸方向の上側の端部は、隙間遮蔽部材３２の壁部３２ａが弾性変形して突出した部分３２ｅによって覆われた状態で、貫通孔１３ｄを通して露出する。
【００５１】
ＵＳＢコネクター３０の下側は、貫通孔１３ｄの下側の辺部内側と回路基板３３の側面３３ａと当接し、ＵＳＢコネクター３０と貫通孔１３ｄとの隙間を遮蔽する。
【００５２】
図３（ｃ）のＵＳＢコネクター３０のＹ軸方向の両側における下部には、回路基板３３と隙間遮蔽部材３２によって囲まれる隙間Ｃが形成される。そのため、図４（ａ）、（ｂ）の回路基板３３を下リアフレーム１２の内側に備えた状態では、貫通孔１３ｄの下部におけるＵＳＢコネクター３０のＹ軸方向の両側に形成された隙間Ｃが露出する。
【００５３】
本実施形態では、図２（ｂ）に示すように、隙間遮蔽部材３２を補強部材３１と下リアフレーム１２に設けられた外部コネクター案内部１３との間に設け、隙間遮蔽部材３２が補強部材３１の壁部３１ａの壁面３１ｄと当接する。これにより、塵や埃が隙間Ｃから侵入し、補強部材３１と外部コネクター案内部１３との間を通り、筐体３の内部に入ることを抑制できる。
【００５４】
以上、本実施形態のスキャナー１は、外部機器と接続されるケーブルにおける外部コネクターと接続可能なコネクターとしてのＵＳＢコネクター３０を備えるスキャナー１において、ＵＳＢコネクター３０が実装される回路基板３３と、回路基板３３を収容し、スキャナー１の外殻を構成する外装部材としての下リアフレーム１２と、下リアフレーム１２におけるＵＳＢコネクター３０と対向する位置に設けられ、外部コネクターが通る図４（ａ）の貫通孔１３ｄと、図４（ｃ）のＵＳＢコネクター３０の貫通孔１３ｄ側を覆うように配置され、ＵＳＢコネクター３０と下リアフレーム１２との隙間Ｂを突出した部分３２ｅによって埋める隙間遮蔽部材３２と、が備えられる。
【００５５】
この構成によれば、ＵＳＢコネクター３０と下リアフレーム１２との隙間Ｂを通り、下リアフレーム１２の外側から内側に侵入する塵や埃を遮断することができる。これにより、画像読取ユニット２０の移動に伴って生じる気流によって、下リアフレーム１２に形成された貫通孔１３ｄの縁部１３ｅとＵＳＢコネクター３０との隙間Ｂから塵や埃が下リアフレーム１２の内側に侵入することを抑制できる。そのため、画像読取ユニット２０に備えられた読取センサーに塵や埃が付着することを防止できるので、読取センサーによって読み取られる画像の品質が低下することを抑制できる。
【００５６】
また、回路基板３３には、ＵＳＢコネクター３０の回路基板３３への固定機能を補強する補強部材３１が備えられ、隙間遮蔽部材３２は、補強部材３１と下リアフレーム１２に設けられた外部コネクター案内部１３との間に設けられる。これにより、貫通孔１３ｄから入り、貫通孔１３ｄの内側に設けられた補強部材３１と外部コネクター案内部１３との間を通り、内側に侵入しようとする塵や埃を遮断することができる。
【００５７】
また、隙間遮蔽部材３２は、補強部材３１に固定される。これにより、回路基板３３に備えられた補強部材３１に隙間遮蔽部材３２が固定された状態で、回路基板３３を電子機器装置として組み立てればよいので、電子機器装置を組み立てる際の作業性が向上する。
【００５８】
隙間遮蔽部材３２は、弾性を有する部材である。これにより、図４（ｃ）のＵＳＢコネクター３０と下リアフレーム１２との隙間Ｂに、隙間遮蔽部材３２の一部が弾性変形して突出した部分３２ｅが侵入し、隙間Ｂを埋めることができる。
【００５９】
（実施形態２）
実施形態１では、回路基板３３にＵＳＢコネクター３０の固定機能を補強する補強部材３１を備えたが、回路基板３３に補強部材３１を備えなくてもよい。図５（ａ）は、実施形態２におけるスキャナー１ａの内部を示す斜視図である。図５（ｂ）は、図５（ａ）のＵＳＢコネクター３０が備えられた部分（円Ｄで示した部分）を拡大した図である。
【００６０】
実施形態１で説明したように、図５（ｂ）の下リアフレーム１２には外部コネクター案内部１３が設けられる。ＵＳＢコネクター３０は、回路基板３３における外部コネクター案内部１３に形成された貫通孔１３ｄ（図４（ａ）参照）と、接続側が対向する位置に実装され、貫通孔１３ｄを通る外部コネクターが接続可能に備えられる。
【００６１】
隙間遮蔽部材３２は、切り欠き部３２ｄがＵＳＢコネクター３０の接続部側を覆うように備えられる。隙間遮蔽部材３２の外部コネクター案内部１３側の面は、外部コネクター案内部１３の底壁１３ｂの壁面１３ｃに、接着剤または両面に接着剤が塗布されたテープ状部材を介して固定される。
【００６２】
このような構成により、外部コネクター案内部１３の底壁１３ｂに形成された貫通孔１３ｄの縁部１３ｅ（図４（ａ）参照）とＵＳＢコネクター３０との隙間を隙間遮蔽部材３２によって遮蔽することができる。すなわち、隙間遮蔽部材３２をＵＳＢコネクター３０と下リアフレーム１２との間に設けることにより、画像読取ユニット２０の移動に伴って生じる気流によって、下リアフレーム１２に形成された貫通孔１３ｄの縁部１３ｅ（図４（ａ）参照）とＵＳＢコネクター３０との隙間から下リアフレーム１２の内側に侵入しようとする塵や埃の流れを抑制できる。本実施形態のスキャナー１ａにおけるその他の構成は、実施形態１で説明した構成と同じである。
【００６３】
実施形態１，２では、電子機器装置の一例である画像読取装置としてのスキャナー１，１ａについて説明したが、本発明は、記録部を備え、用紙などの被記録媒体に画像を記録する記録装置にも適用する。図６は、インクを噴射する記録ヘッド６１が、筐体５６の内部に備えられたインクジェット式の記録装置５０の外観斜視図である。
【００６４】
図６は、回動可能なカバー５７を開けた状態で、筐体５６の上部が露出する状態を示す。筐体５６の上部には、電源ボタン、印刷設定ボタン、表示パネルなどが備えられた操作部５５が設けられる。筐体５６の奥行き方向Ｘにおける後側には、用紙供給口５１が設けられ、筐体５６の奥行き方向Ｘにおける前側には、用紙排出口５３が設けられる。
【００６５】
カバー５７の載置面５８には、用紙（不図示）などの被記録媒体が載置され、用紙の幅方向Ｙの両端部は、幅方向Ｙにスライド移動可能なエッジガイド５２によって規制される。筐体５６の内部には、記録ヘッド６１を含んで構成される記録部が備えられる。記録ヘッド６１は、インクを噴射しながら幅方向Ｙに往復移動可能に備えられる。
【００６６】
載置面５８に載置された用紙は、用紙供給口５１から筐体５６の内部に給紙され、記録部によって記録され、排出ローラー対５４によって用紙排出口５３から排出される。筐体５６の幅方向Ｙの図面左側の側壁５６ａには、貫通孔５９，６０が設けられる。
【００６７】
側壁５６ａの内側の貫通孔５９，６０と対向する位置に、コネクター（不図示）がそれぞれ備えられる。貫通孔５９と対向するコネクターは、外部から電源を供給するためのコネクターであり、このコネクターには、交流を直流に変換するアダプター（不図示）の電源ケーブルの端部に設けられた外部コネクター（不図示）が着脱可能に電気的に接続される。
【００６８】
貫通孔６０と対向するコネクターは、ＵＳＢコネクターであり、ＵＳＢコネクターには、パーソナルコンピューター（不図示）と接続されるケーブルの端部に設けられた外部コネクター（不図示）が着脱可能に電気的に接続される。
【００６９】
貫通孔５９，６０と対向するこれらのコネクターと、貫通孔５９，６０の縁部との隙間に隙間遮蔽部材（不図示）を備え、記録ヘッド６１の移動に伴って生じる気流によって、塵や埃が筐体５６の内部に侵入することを抑制する。本発明は、感光体ドラムなどを含んで構成される記録部を備えた電子写真方式の記録装置などにも適用する。
【符号の説明】
【００７０】
１，１ａ…スキャナー、１２…下リアフレーム、１３ｄ，５９，６０…貫通孔、３０…ＵＳＢコネクター、３１…補強部材、３２…隙間遮蔽部材、３３…回路基板、５０…記録装置、Ｂ…隙間。
【図１】
2016103671.tif 000003
【図２】
2016103671.tif 000004
【図３】
2016103671.tif 000005
【図４】
2016103671.tif 000006
【図５】
2016103671.tif 000007
【図６】
2016103671.tif 000008
【図７】
2016103671.tif 000009